(57)【要約】【課題】鉛直方向に対する固定物への取付けを容易に行うことができる地上型標識灯を提供すること。【解決手段】地面に固定された固定物（５）に取り付けられる台座（２）と、角度変更可能に台座に支持されるランプユニット（３）と、ランプユニットを台座に対して、固定するための固定手段（４）とを備え、ランプユニットは、取付ベース部材（３０）と、取付ベース部材上に配置され、水平方向の周囲に光を照らすランプ（３２）と、表示面を上方に向けて取付ベース部材上に配置される水準器（３３）と、ランプおよび水準器を覆うグローブ（３４）とを備える。【選択図】図２
2016009591.tif 000002
【特許請求の範囲】
【請求項１】
地面に固定された固定物に取り付けられる台座と、
角度変更可能に前記台座に支持されるランプユニットと、
前記ランプユニットを前記台座に対して、固定するための固定手段とを備え、
前記ランプユニットは、取付ベース部材と、前記取付ベース部材上に配置され、水平方向の周囲に光を照らすランプと、表示面を上方に向けて前記取付ベース部材上に配置される水準器と、前記ランプおよび前記水準器を覆うグローブとを備える、地上型標識灯。
【請求項２】
前記取付ベース部材上には、上下方向に延びる筒体が配置され、前記ランプは、前記筒体の外周面に配置されたＬＥＤを含み、前記水準器は、前記筒体の上方に配置される、請求項１に記載の地上型標識灯。
【請求項３】
前記筒体は、六角柱であり、角面には、それぞれＬＥＤが配置される、請求項２に記載の地上型標識灯。
【請求項４】
前記ランプユニットの下端部は、球面状に形成され、前記台座の支持部は、前記ランプユニットの下端部を受け入れ可能に球面状に形成される、請求項１〜３のいずれかに記載の地上型標識灯。
【発明の詳細な説明】
【技術分野】
【０００１】
この発明は、地上型標識灯に関し、特に、水準器を有する地上型標識灯に関する。
【背景技術】
【０００２】
従来から、空港における滑走路や誘導路の路幅を表示するために、路辺沿いの地表面上に標識灯が設置されている。この地上型標識灯は、路上を走行する航空機の操縦者へ、路肩の存在を知らせるためのもので、路上を安全に誘導する働きをしている。
【０００３】
空港用の地上型標識灯においては、極めて厳格な配光管理が必要とされており、特に水平方向対して一定の配光管理をすることが求められている。具体的には、固定物（例えば、可折接手）が地面に傾いて設置される場合や、地面が傾斜していることが想定されるので、地上型標識灯は、鉛直方向に対して±０．２５°以内となるように取り付けられることが求められる。
【０００４】
例えば、特開２０１２−７９４９７号公報（特許文献１）には、地上型標識灯を可折接手に取り付ける際には、地上型標識灯の保護カバー上に水準器を載置し、水準器を見ながら、可折接手に取り付けることが開示されている。さらに、可折接手に取り付けた後は、保護カバー上に載置した水準器は、取り外すことが開示されている。
【０００５】
他方、地上型標識灯の保守、点検、交換等のためには、地上型標識灯を可折接手から取り外す必要があるが、一旦取り外すと、再度取り付けるためには改めて角度調整を行わなければならず、迅速な作業が困難であった。
【先行技術文献】
【特許文献】
【０００６】
【特許文献１】特開２０１２−７９４９７号公報
【発明の概要】
【発明が解決しようとする課題】
【０００７】
上述のように、地上型標識灯は、可折接手に取り付ける際に、わざわざ地上型標識灯の保護カバー上に水準器を載置する必要があり、作業時間を要するとともに、部品点数が増加していた。
【０００８】
本発明は、上記のような課題を解決するためになされたものであって、その目的は、鉛直方向に対する固定物への取付けを容易に行うことができる地上型標識灯を提供することを目的とする。
【課題を解決するための手段】
【０００９】
この目的のため本発明による地上型標識灯は、地面に固定された固定物に取り付けられる台座と、角度変更可能に前記台座に支持されるランプユニットと、ランプユニットを台座に対して、固定するための固定手段とを備える。ランプユニットは、取付ベース部材と、取付ベース部材上に配置され、水平方向の周囲に光を照らすランプと、表示面を上方に向けて取付ベース部材上に配置される水準器と、ランプおよび前記水準器を覆うグローブとを備える。
【００１０】
好ましくは、取付ベース部材上には、上下方向に延びる筒体が配置され、ランプは、筒体の外周面に配置されたＬＥＤを含み、水準器は、筒体の上方に配置される。
【００１１】
好ましくは、筒体は、六角柱であり、角面には、それぞれＬＥＤが配置される。
【００１２】
さらに好ましくは、ランプユニットの下端部は、球面状に形成され、台座の支持部は、ランプユニットの下端部を受け入れ可能に球面状に形成される。
【発明の効果】
【００１３】
本発明によれば、鉛直方向に対する固定物への取付けを容易に行うことができる地上型標識灯を提供することができる。
【図面の簡単な説明】
【００１４】
【図１】本発明の実施形態における地上型標識灯を示す正面図である。
【図２】本発明の実施形態における地上型標識灯を示す縦断面図である。
【図３】本発明の実施形態における地上型標識灯を示す平面図である。
【図４】可折接手が傾いていた場合に、鉛直方向に対して平行にした状態を示す縦断面図である。
【発明を実施するための形態】
【００１５】
本発明の実施の形態について図面を参照しながら詳細に説明する。なお、図中同一または相当部分には同一符号を付してその説明は繰り返さない。
【００１６】
はじめに、図１を参照して、本実施の形態に係る地上型標識灯１の概要について説明する。
【００１７】
地上型標識灯１は、例えば、空港における滑走路や誘導路などの路幅などを表示するための航空用の地上型標識灯１である。
【００１８】
地上型標識灯１は、地面に固定された固定物に取り付けられる台座２と、角度変更可能に台座２に支持されるランプユニット３と、ランプユニット３を台座２に対して、固定するための固定手段（ボルト４）とを備える。地面に固定された固定物は、例えば、可折接手５が含まれる。可折接手５は、地面に固定され、航空機が航空標識灯に接触した際に、航空機に損傷を与えないように、ある一定の荷重で切断溝から折れる機能を持たせたものである。
【００１９】
図２、３をさらに参照して、地上型標識灯１の構成例について詳細に説明する。
【００２０】
台座２は、地面に固定される可折接手５を受け入れる受入部２３と、ランプユニット３の下端部を受け入れ可能な支持部２０とを備える。支持部２０は、球面状に形成され、ボルト４が貫通する貫通孔２１が一対設けられる。
【００２１】
ランプユニット３は、取付ベース部材３０と、取付ベース部材３０上に配置され、水平方向の周囲に光を照らすランプ（ＬＥＤ）と、表示面を上方に向けて取付ベース部材３０上に配置される水準器３３と、ランプおよび水準器３３を覆うグローブ３４とを備える。ランプは、例えば、発光ダイオードのＬＥＤ基板３１上に、２つのＬＥＤ３２が配置されたものが含まれる。
【００２２】
取付ベース部材３０は、ランプユニット３の空間を上下に仕切る部材である。まず、取付ベース部材３０の上方の構造について説明する。
【００２３】
取付ベース部材３０の上方の略中央には、上下方向に延びる筒体３５が配置されている。筒体３５は、例えば、六角柱で構成される。筒体３５の６つの側面３５０上には、それぞれＬＥＤ基板３１が６つ取り付けられる。ＬＥＤ基板３１上には、ＬＥＤ３２が２つ配置され、ＬＥＤ３２は、水平方向の周囲に光を照らすものである。
【００２４】
筒体３５の上面３５１上には、円柱形状の水準器３３が取り付けられる。水準器３３は、容器内に充填された溶液中に、１つの気泡３３０が密封され、気泡３３０が中央の円状のマーク３３１内に位置すると、水平であることを確認することができる。水準器３３は、表示面が上方に向けてあり、ＬＥＤ３２の照射角度と、同レベルになるように取り付けられている。
【００２５】
グローブ３４は、取付ベース部材３０の上方を覆うものであり、具体的には、ＬＥＤ基板３１上に配置されたＬＥＤ３２と水準器３３とを上方から覆うものである。グローブ３４は、例えば、ポリカーボネット（ＰＣ）樹脂で構成され、透光性を有する。そのため、ユーザーは、グローブ３４の天面から水準器３３を視認することができる。
【００２６】
水準器３３は、ＬＥＤ３２とともにその上方をグローブ３４で覆われているため、地上型標識灯１の設置作業の際や、設置後のメンテナンスの際に、別途水準器や工具等を用意する必要はない。さらに、作業の際に、別途水準器を取り付ける必要がなく、作業時間の短縮を図ることが可能である。
【００２７】
次に、取付ベース部材３０の下方の構造について説明する。
【００２８】
取付ベース部材３０の下方には、ＬＥＤ３２に電気を供給する電源ボックス３７が配置され、灯体４０内に保持されている。電源ボックス３７の下方端には、外部のコンセントに取付け可能な電源ケーブル３８が接続される。さらに、灯体４０の下端部の取付部４１は、台座２の支持部２０と摺動可能に接するように、球面状で形成される。
【００２９】
２つのボルト４は、ランプユニット３と台座２とを固定するものである。固定の際には、ボルト４は、座金４２を介して、支持部２０に形成された貫通孔２１を貫通し、取付部４１のボルト取付部４３を貫通する。
【００３０】
図４は、可折接手５が傾いていた場合に、ランプユニット３を鉛直方向に対して平行にした状態を示す縦断面図である。図４を参照して、地上型標識灯１を設置する方法について詳細に説明する。
【００３１】
まず、可折接手５を配管ボックス（図示せず）に固定し、地上型標識灯１の電源ケーブル３８を、地面に埋設された配管ボックス内のコンセントに差し込む。さらに、台座２の受入部２３に可折接手５を挿入し、受入部２３の側方に形成された２本のボルト２２で、可折接手５と台座２とを固定する。
【００３２】
次に、台座２にランプユニット３を載置する。このとき、台座２の支持部２０と、ランプユニット３の取付部４１の球面状の部分を重ね合わせる。
【００３３】
ランプユニット３と台座２とを固定する際には、２つのボルト４で固定する。このとき、ランプユニット３が、重力の作用する鉛直方向に対して±０．２５°の範囲内で設置しているか否かを確認する。グローブ３４の上方より、水準器３３の気泡３３０を見て、気泡３３０が中央のマーク３３１の範囲内となる角度で、２つのボルト４をそれぞれのボルト取付部４３に押し当てて、ランプユニット３を完全に台座２に固定する。これにより、地上型標識灯１は、所定角度で可折接手５に取り付けることができる。
【００３４】
図４に示すように、可折接手５が鉛直方向Ａに対して傾斜角度Ｂだけ傾斜している場合は、水準器３３の気泡３３０は、マーク３３１の範囲内に位置していない。この場合、グローブ３４の上方より、水準器３３の気泡３３０を見ながら、水準器３３の気泡３３０がマーク３３１の内側に移動するように、２本のボルト４を緩めて、支持部２０に対して取付部４１をスライド移動させる。水準器３３の気泡３３０が、中央のマーク３３１内に移動した時点でボルト４を固定して、ランプユニット３を完全に可折接手５に固定する。これにより、ランプユニット３は鉛直方向Ａで設置される。
【００３５】
このように、可折接手５が所定の角度の範囲内で取り付けられていないときや、地面が傾斜していても、地上型標識灯１を鉛直方向に対して所定の角度の範囲内となるように可折接手５に取り付けることができる。そして、地上型標識灯１の取付け作業は、別途水準器を必要としないため、容易にかつ迅速に行える。
【００３６】
上述したように、本実施形態によれば、地上型標識灯１を地面に固定された可折接手５に取り付けるときに、上方からその水準器３３の気泡３３０およびマーク３３１を見ながら、地上型標識灯１を鉛直方向に対して所定の角度となるように可折接手５に取り付ける作業を行えるので、前記取付け作業を短縮することができる。
【００３７】
なお、上記実施形態では、ランプは、ＬＥＤ基板３１に配置されるＬＥＤ３２であるとしたが、水平方向の周囲に光を照らすものであれば、これに限られない。さらに、ＬＥＤ基板３１上に２つのＬＥＤ３２が配置され、ＬＥＤ基板３１を６つ備えるとしたが、この数に限定されるものではない。
【００３８】
また、筒体３５は、六角柱であるとしたが、これに限られず、側面３５０は平面であってもよいし、曲面であってもよい。
【００３９】
さらに、上記実施形態において、固定手段は、ボルト２２であるとしたが、台座２の支持部２０と、ランプユニット３の取付部４１を固定できるものであれば、これに限られない。
【００４０】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４１】
１  地上型標識灯、２  台座、３  ランプユニット、４  固定手段（ボルト）、５  可折接手、２０  支持部、２１  貫通孔、２２  ボルト、２３  受入部、３０  取付ベース部材、３１  ＬＥＤ基板、３２  ＬＥＤ、３３  水準器、３４  グローブ、３５  筒体、３５０  側面、３５１  上面、３７  電源ボックス、４０  灯体、４１  取付部、４２  座金、４３  ボルト取付部。
【図１】
2016009591.tif 000003
【図２】
2016009591.tif 000004
【図３】
2016009591.tif 000005
【図４】
2016009591.tif 000006